(57)【要約】【課題】１つのキャリッジに傾きの異なる記録ヘッドを位置決めすることができる記録ヘッドの取付構造及び記録装置を提供する。【解決手段】キャリッジ３０の位置決めピン６１に、記録ヘッドがキャリッジ３０の載置面６０と直交する軸線に対して予め定めた第１の傾きで搭載された場合に、記録ヘッドの位置決め用の孔に嵌合する第１嵌合部６１Ａと、記録ヘッドがキャリッジ３０に対して上記第１の傾きと異なる予め定めた第２の傾きで搭載された場合に、その記録ヘッドの位置決め用の孔に嵌合する第２嵌合部６１Ｂとを設ける。【選択図】      図７
2004306298.tif 000002
【特許請求の範囲】
【請求項１】
キャリッジに搭載される記録ヘッドの所定位置に位置決め用の孔を設けると共に、前記キャリッジに、前記記録ヘッドの前記孔に挿通する挿通体を設け、
前記挿通体に、前記記録ヘッドが前記キャリッジの記録ヘッド載置面と直交する軸線に対して予め定めた第１の傾きで搭載された場合に、前記記録ヘッドの前記孔に嵌合する第１嵌合部と、前記記録ヘッドが前記キャリッジに対して前記第１の傾きと異なる予め定めた第２の傾きで搭載された場合に、前記記録ヘッドの前記孔に嵌合する第２嵌合部とを設けたことを特徴とする記録ヘッドの取付構造。
【請求項２】
前記挿通体は、前記記録ヘッドの前記孔が挿通される方向に延び、かつ、先端側が細く、根本側が太い柱形状に形成され、先端側の細い部分は、前記第１嵌合部又は前記第２嵌合部のいずれか一方の機能を有すると共に、根本側の太い部分は、他方の前記第２嵌合部又は前記第１嵌合部の機能を有することを特徴とする請求項１に記載の記録ヘッドの位置決め構造。
【請求項３】
前記記録ヘッドの前記孔は、前記記録ヘッドが前記キャリッジに前記第１の傾きで搭載されて、前記挿通体の前記第１嵌合部に嵌合した場合は、前記第２嵌合部には嵌合しない孔形状に形成される一方、前記記録ヘッドが前記キャリッジに前記第２の傾きで搭載されて、前記挿通体の前記第２嵌合部に嵌合した場合は、前記第１嵌合部には嵌合しない孔形状に形成されることを特徴とする請求項１又は２に記載の記録ヘッドの位置決め構造。
【請求項４】
前記キャリッジに、前記記録ヘッドの位置決め用の挿通体を複数設け、
この複数の挿通体のうち、少なくとも１つの挿通体に、前記記録ヘッドが前記キャリッジの記録ヘッド載置面と直交する軸線に対して予め定めた第１の傾きで搭載された場合に、前記記録ヘッドの前記孔に嵌合する第１嵌合部と、前記記録ヘッドが前記キャリッジに対して前記第１の傾きと異なる予め定めた第２の傾きで搭載された場合に、前記記録ヘッドの前記孔に嵌合する第２嵌合部とを設けたことを特徴とする請求項１乃至３のいずれかに記載の記録ヘッドの取付構造。
【請求項５】
記録ヘッドと、この記録ヘッドが搭載されるキャリッジとを備える記録装置において、
前記記録ヘッドの所定位置に位置決め用の孔を設けると共に、前記キャリッジに、前記記録ヘッドが搭載された場合に、前記記録ヘッドの前記孔に挿通する挿通体を設け、
前記挿通体に、前記記録ヘッドが前記キャリッジの記録ヘッド載置面と直交する軸線に対して予め定めた第１の傾きで搭載された場合に、前記記録ヘッドの前記孔に嵌合する第１嵌合部と、前記記録ヘッドが前記キャリッジに対して前記第１の傾きと異なる予め定めた第２の傾きで搭載された場合に、前記記録ヘッドの前記孔に嵌合する第２嵌合部とを設けたことを特徴とする記録装置。
【請求項６】
前記挿通体は、前記記録ヘッドの前記孔が挿通される方向に延び、かつ、先端側が細く、根本側が太い柱形状に形成され、先端側の細い部分は、前記第１嵌合部又は前記第２嵌合部のいずれか一方の機能を有すると共に、根本側の太い部分は、他方の前記第２嵌合部又は前記第１嵌合部の機能を有することを特徴とする請求項５に記載の記録装置。
【請求項７】
前記記録ヘッドの前記孔は、前記記録ヘッドが前記キャリッジに前記第１の傾きで搭載されて、前記挿通体の前記第１嵌合部に嵌合した場合は、前記第２嵌合部には嵌合しない孔形状に形成される一方、前記記録ヘッドが前記キャリッジに前記第２の傾きで搭載されて、前記挿通体の前記第２嵌合部に嵌合した場合は、前記第１嵌合部には嵌合しない孔形状に形成されることを特徴とする請求項５又は６に記載の記録装置。
【請求項８】
前記キャリッジに、前記記録ヘッドの位置決め用の挿通体を複数設け、
この複数の挿通体のうち、少なくとも１つの挿通体に、前記記録ヘッドが前記キャリッジの記録ヘッド載置面と直交する軸線に対して予め定めた第１の傾きで搭載された場合に、前記記録ヘッドの前記孔に嵌合する第１嵌合部と、前記記録ヘッドが前記キャリッジに対して前記第１の傾きと異なる予め定めた第２の傾きで搭載された場合に、前記記録ヘッドの前記孔に嵌合する第２嵌合部とを設けたことを特徴とする請求項５乃至７のいずれかに記載の記録装置。
【発明の詳細な説明】
【０００１】
【発明の属する技術分野】
本発明は、記録ヘッドの取付構造及び記録装置に関する。
【０００２】
【従来の技術】
従来より、シートが搬送されるプラテンと、このプラテンに搬送されたシートに向けて記録ワイヤを打ち出す記録ヘッドと、この記録ヘッドが搭載されるキャリッジとを備えるドットインパクトプリンタが知られている。
【０００３】
この種のプリンタは、記録ヘッドに位置決め用の孔を設けると共に、キャリッジに位置決め用のピンを設け、記録ヘッドの位置決め用の孔をキャリッジの位置決め用のピンに挿通することによって、記録ヘッドをキャリッジの所定位置に位置決めしている。
【０００４】
ところで、この種のプリンタにおいては、記録ヘッドに記録ワイヤが一列又は複数列で配置されており、記録ワイヤの配列方向を、印字しようとする文字に対して縦方向にする場合と、この縦方向からわずかに傾ける場合とがある（例えば、特許文献１参照）。この場合、記録ヘッドをキャリッジに対して異なる傾きで搭載することによって、記録ワイヤの配列方向が上記いずれかの方向に設定されるようになっている。
【０００５】
【特許文献１】
特開平５−２４６０５０号公報
【０００６】
【発明が解決しようとする課題】
しかしながら、記録ヘッドをキャリッジに異なる傾きで搭載する場合には、記録ヘッドの位置を決める位置決めピンを、記録ヘッドの搭載角度に応じて別々に製作していたため、位置決めピンと一体的に成型されるキャリッジを複数種類製作しなければならなかった。
【０００７】
そこで、本発明の目的は、上述した従来の技術が有する課題を解消し、１つのキャリッジに傾きの異なる記録ヘッドを位置決めすることができる記録ヘッドの取付構造及び記録装置を提供することを目的とする。
【０００８】
【課題を解決するための手段】
上述課題を解決するため、請求項１に記載の発明は、記録ヘッドの取付構造において、キャリッジに搭載される記録ヘッドの所定位置に位置決め用の孔を設けると共に、前記キャリッジに、前記記録ヘッドの前記孔に挿通する挿通体を設け、前記挿通体に、前記記録ヘッドが前記キャリッジの記録ヘッド載置面と直交する軸線に対して予め定めた第１の傾きで搭載された場合に、前記記録ヘッドの前記孔に嵌合する第１嵌合部と、前記記録ヘッドが前記キャリッジに対して前記第１の傾きと異なる予め定めた第２の傾きで搭載された場合に、前記記録ヘッドの前記孔に嵌合する第２嵌合部とを設けたことを特徴とする。この構成によれば、キャリッジに、異なる傾きで搭載される記録ヘッドを位置決めすることができる。
【０００９】
また、請求項２に記載の発明は、請求項１に記載の構成において、前記挿通体は、前記記録ヘッドの前記孔が挿通される方向に延び、かつ、先端側が細く、根本側が太い柱形状に形成され、先端側の細い部分は、前記第１嵌合部又は前記第２嵌合部のいずれか一方の機能を有すると共に、根本側の太い部分は、他方の前記第２嵌合部又は前記第１嵌合部の機能を有することを特徴とする。
【００１０】
また、請求項３に記載の発明は、請求項１又は２に記載の構成において、前記記録ヘッドの前記孔は、前記記録ヘッドが前記キャリッジに前記第１の傾きで搭載されて、前記挿通体の前記第１嵌合部に嵌合した場合は、前記第２嵌合部には嵌合しない孔形状に形成される一方、前記記録ヘッドが前記キャリッジに前記第２の傾きで搭載されて、前記挿通体の前記第２嵌合部に嵌合した場合は、前記第１嵌合部には嵌合しない孔形状に形成されることを特徴とする。
【００１１】
また、請求項４に記載の発明は、請求項１乃至３のいずれかに記載の構成において、前記キャリッジに、前記記録ヘッドの位置決め用の挿通体を複数設け、この複数の挿通体のうち、少なくとも１つの挿通体に、前記記録ヘッドが前記キャリッジの記録ヘッド載置面と直交する軸線に対して予め定めた第１の傾きで搭載された場合に、前記記録ヘッドの前記孔に嵌合する第１嵌合部と、前記記録ヘッドが前記キャリッジに対して前記第１の傾きと異なる予め定めた第２の傾きで搭載された場合に、前記記録ヘッドの前記孔に嵌合する第２嵌合部とを設けたことを特徴とする。
【００１２】
また、請求項５に記載の発明は、記録ヘッドと、この記録ヘッドが搭載されるキャリッジとを備える記録装置において、前記記録ヘッドの所定位置に位置決め用の孔を設けると共に、前記キャリッジに、前記記録ヘッドが搭載された場合に、前記記録ヘッドの前記孔に挿通する挿通体を設け、前記挿通体に、前記記録ヘッドが前記キャリッジの記録ヘッド載置面と直交する軸線に対して予め定めた第１の傾きで搭載された場合に、前記記録ヘッドの前記孔に嵌合する第１嵌合部と、前記記録ヘッドが前記キャリッジに対して前記第１の傾きと異なる予め定めた第２の傾きで搭載された場合に、前記記録ヘッドの前記孔に嵌合する第２嵌合部とを設けたことを特徴とする。この構成によれば、キャリッジに、異なる傾きで搭載される記録ヘッドを位置決めすることができる。
【００１３】
また、請求項６に記載の発明は、請求項５に記載の構成において、前記挿通体は、前記記録ヘッドの前記孔が挿通される方向に延び、かつ、先端側が細く、根本側が太い柱形状に形成され、先端側の細い部分は、前記第１嵌合部又は前記第２嵌合部のいずれか一方の機能を有すると共に、根本側の太い部分は、他方の前記第２嵌合部又は前記第１嵌合部の機能を有することを特徴とする。
【００１４】
また、請求項７に記載の発明は、請求項５又は６に記載の構成において、前記記録ヘッドの前記孔は、前記記録ヘッドが前記キャリッジに前記第１の傾きで搭載されて、前記挿通体の前記第１嵌合部に嵌合した場合は、前記第２嵌合部には嵌合しない孔形状に形成される一方、前記記録ヘッドが前記キャリッジに前記第２の傾きで搭載されて、前記挿通体の前記第２嵌合部に嵌合した場合は、前記第１嵌合部には嵌合しない孔形状に形成されることを特徴とする。
【００１５】
また、請求項８に記載の発明は、請求項５乃至７のいずれかに記載の構成において、前記キャリッジに、前記記録ヘッドの位置決め用の挿通体を複数設け、この複数の挿通体のうち、少なくとも１つの挿通体に、前記記録ヘッドが前記キャリッジの記録ヘッド載置面と直交する軸線に対して予め定めた第１の傾きで搭載された場合に、前記記録ヘッドの前記孔に嵌合する第１嵌合部と、前記記録ヘッドが前記キャリッジに対して前記第１の傾きと異なる予め定めた第２の傾きで搭載された場合に、前記記録ヘッドの前記孔に嵌合する第２嵌合部とを設けたことを特徴とする。
【００１６】
【発明の実施の形態】
以下、図面を参照して本発明の実施形態を詳述する。
【００１７】
図１は、本発明の記録装置の実施形態に係るプリンタ１０の側断面図であり、図２は、このプリンタ１０の外装カバー１１を外した状態を示す斜視図である。
【００１８】
このプリンタ１０は、複数の記録ワイヤを選択的に打ち出す記録ヘッド２０と、この記録ヘッド２０が搭載されるキャリッジ３０とを備え、記録ヘッド２０から打ち出された記録ワイヤをシートに打ち付けることによって文字を含む画像を記録するドットインパクトプリンタである。なお、シートとしては、カットシート、連続シート、葉書等が用いられる。
【００１９】
図１に示すように、このプリンタ１０は、大別すると、記録ユニットを構成するプリンタ本体１２と、トラクタユニット１３と、シートガイド１４とを備え、これらが外装カバー１１で覆われる構成となっている。
【００２０】
上記プリンタ本体１２は、記録ヘッド２０やキャリッジ３０等から構成される記録機構部２２と、プラテン２３やシート搬送ローラ２４、２５等から構成されるシート搬送機構部２６とを備えている。
【００２１】
詳述すると、プリンタ本体１２は、図１及び図２に示すように、左サイドフレーム２７Ｌと右サイドフレーム２７Ｒとの間に、シート案内フレーム２８、プラテン２３、キャリッジガイド軸２９、ローラ軸２４ａ、２５ａが略平行に架け渡されており、キャリッジガイド軸２９に、記録ヘッド２０が搭載されたキャリッジ３０が、ローラ軸２４ａ、２５ａに、シート搬送ローラ２４、２５が設けられる。
【００２２】
キャリッジ３０は、キャリッジガイド軸２９に、その軸の軸方向に移動可能に挿通され、キャリッジ駆動モータ３１（図２参照）により駆動されるベルト機構（不図示）によって、キャリッジガイド軸２９の軸方向に走行させられる。
【００２３】
また、プラテン２３及びシート搬送ローラ２４、２５は、シート搬送モータ３２によって回転し、シートの搬送を行う。
【００２４】
記録ヘッド２０は、キャリッジ３０がキャリッジガイド軸２９の軸方向に走行させられることによって、主走査方向（矢印Ｘ方向）に移動する。この記録ヘッド２０は、複数の記録ワイヤが縦に一列で配置され、これら記録ワイヤをプラテン２３に向けて打ち出す構成を備えている。ここで、プリンタ本体１２には、インクリボンカセット（不図示）が着脱自在に装着され、このインクリボンカセットのインクリボンが記録ヘッド２０とプラテン２３との間に配置される。これにより、記録ヘッド２０は、キャリッジ３０により主走査方向（矢印Ｘ方向）に移動する間に、記録ワイヤを突出させてインクリボンに打ち当て、プラテン２３と記録ヘッド２０との間に搬送されたシートに一行分の文字等の画像を記録することができる。
【００２５】
トラクタユニット１３は、トラクタベルト１３Ａの回転によりシートをシート案内フレーム２８に向けて搬送する。ここで、外装カバー１１は、プリンタ１０のフロント側に開閉可能なカバー１５を備えており、このカバー１５を開くことにより、シートをトラクタユニット１３上にセットすることができる。
【００２６】
また、シートガイド１４は、シートを手差し給紙する際の手差しトレイとして機能すると共に、上記トラクタユニット１３により、シートがプリンタ１０のフロントから給紙された場合（フロント給紙の場合）は、シートの排紙トレイとして機能する。
【００２７】
以上の構成の下、記録ヘッド２０による記録動作は、記録ヘッド２０が、キャリッジ３０により主走査方向（矢印Ｘ方向）に移動される間に、記録ヘッド２０からの記録ワイヤの打ち出しにより一行分の記録がなされ、この一行分の記録がなされる度に、フロント給紙の場合は、トラクタユニット１３及びシート搬送機構部２６が、リア給紙（手差し給紙）の場合は、プラテン２３が、シートを所定長（通常行間分）搬送させ、これらの動作が繰り返されることにより実施される。
【００２８】
上述した記録ヘッド２０、キャリッジ駆動モータ３１及びシート搬送モータ３２の制御は、制御基板部４０（図１参照）が行う。制御基板部４０は、通信ケーブルを介して接続された外部機器（例えば、パーソナルコンピュータ）との間で通信を行う機能を備え、外部機器から印刷データを受信すると、この印刷データに基づいて上記記録制御を行う。
【００２９】
ところで、プリンタ１０においては、記録ヘッド２０が、図３（Ａ）に示すように、記録ワイヤ２０Ｗの配列方向が、印字しようとする文字の縦方向（矢印Ｙ方向）と一致するようにキャリッジ３０に搭載される場合（記録ヘッド２０をキャリッジ３０の後述する載置面６０に垂直に搭載する場合）と、図３（Ｂ）に示すように、記録ワイヤ２０Ｗの列方向が、印字しようとする文字の縦方向（矢印Ｙ方向）から角度αだけ傾けてキャリッジ３０に搭載される場合とがある。
【００３０】
すなわち、このプリンタ１０に搭載され得る記録ヘッド２０には、記録ワイヤ２０Ｗの列方向を文字の縦方向と一致させるために、キャリッジ３０の後述する載置面６０に搭載される面を、記録ワイヤ２０Ｗの列方向に対して垂直に形成した記録ヘッド２０Ａと、記録ワイヤ２０Ｗの列方向を文字の縦方向から角度αだけ傾けるために、キャリッジ３０の後述する載置面６０に搭載される面を、記録ワイヤ２０Ｗの列方向の垂直方向に対して角度αだけ傾けた記録ヘッド２０Ｂとがある。
【００３１】
記録ワイヤ２０Ｗの列方向を文字の縦方向と一致させた場合は、「１」あるいは「Ｉ」を印字する際に、全ての記録ワイヤを同時に打ち出す必要がある。これに対し、記録ワイヤ２０Ｗの列方向を文字の縦方向から角度αだけ傾けた場合は、「１」あるいは「Ｉ」を印字する際に、記録ワイヤを同時に打ち出す必要がなくなる。従って、後者の場合は、記録ワイヤ２０Ｗの同時駆動数が少なくなる、といったメリットがある。なお、角度αは、１°〜３°程度の値が適用される。
【００３２】
次いで、記録ヘッド２０Ａ、２０Ｂの取付構造について説明する。なお、説明の便宜上、記録ヘッド２０Ａ、２０Ｂを特に区別する必要がない場合は、記録ヘッド２０と表記する。
【００３３】
図４は、キャリッジ３０に記録ヘッド２０を搭載したときの正面図であり、図５は、図４の斜視図である。また、図６は、キャリッジ３０と記録ヘッド２０とを分離した状態を示す斜視図である。
【００３４】
図４及び図５に示すように、記録ヘッド２０は、ノーズ部５０に、記録ワイヤ２０Ｗの配列方向と一致する方向に延びる孔５１、５２が設けられる。ここで、この孔５１、５２のうち一方の孔５２は、記録ヘッド２０Ａ及び２０Ｂで共通の孔に形成され、より具体的には、主走査方向（矢印Ｘ方向）に長い長孔に形成される。
【００３５】
図４乃至図６に示すように、キャリッジ３０には、記録ヘッド２０が搭載される載置面６０と、この載置面６０に対して略垂直方向に延び、記録ヘッド２０が載置面６０に搭載された場合に、記録ヘッド２０の上記孔５１、５２に挿通する位置決めピン（挿通体）６１、６２とが設けられる。図７は、キャリッジ３０の斜視図であり、図８は、キャリッジ３０に記録ヘッド２０Ａが搭載された場合の断面図であり、図９は、キャリッジ３０に記録ヘッド２０Ｂが搭載された場合の断面図である。
【００３６】
図７に示すように、位置決めピン６１は、先端側が細く、根本側が太い柱形状に形成される。詳述すると、位置決めピン６１の太い根本側部分（第１嵌合部）６１Ａは、図７及び図８に示すように、記録ヘッド２０Ａの孔５１（以下、孔５１Ａという。）に挿通されると、この孔５１Ａの内面と、全周囲方向において隙間無く当接して嵌合する円柱形状に形成される。言い換えれば、根本側部分６１Ａは、記録ヘッド２０Ａの孔５１Ａの、この根本側部分６１Ａに対応する部分５１Ａａの孔径と同径の円柱形状に形成される。これにより、根本側部分６１Ａにより、記録ヘッド２０Ａの孔５１Ａの、矢印Ｚ方向及び矢印Ｘ方向の位置が固定されるようになっている。
【００３７】
なお、記録ヘッド２０Ａの孔５１Ａは、図８に示すように、先端側部分６１Ｂに対応する部分５１Ａｂが、先端側部分６１Ｂとは当接しないように大径に形成されるようになっている。
【００３８】
また、先端側部分（第２嵌合部）６１Ｂは、図９に示すように、記録ヘッド２０Ｂの孔５１（以下、孔５１Ｂという。）に挿通されると、この孔５１Ｂの内面と少なくとも一部が当接して嵌合する柱形状に形成される。ここで、図１０（Ａ）は、図９の位置決めピン６１の周辺を示す拡大図であり、図１０（Ｂ）は、位置決めピン６１の上面図である。図１０（Ａ）及び図１０（Ｂ）に示すように、位置決めピン６１の先端側部分６１Ｂは、この位置決めピン６１を、記録ヘッド２０の左右方向（矢印Ｘ方向）に半分に分割する分割面Ｓを基準にして、半分の部分７０が、その周面全体を記録ヘッド２０Ｂの孔５１Ｂの内面に当接させる周面形状を備えて構成され、半分の部分７１が、根本側部分６１Ａと同軸の円柱であって、かつ、その半径が記録ヘッド２０Ｂの孔５１Ｂに当接しない範囲に収まる周面形状を備えて構成される。これにより、この先端側部分６１Ｂにより、記録ヘッド２０Ｂの孔５１Ｂの、矢印Ｚ方向及び矢印Ｘ方向の位置が固定されるようになっている。
【００３９】
なお、記録ヘッド２０Ｂの孔５１Ｂは、図８に示すように、根本側部分６１Ａに対応する部分５１Ｂａが、根本側部分６１Ａとは当接しないように大径に形成されるようになっている。
【００４０】
また、位置決めピン６２は、記録ヘッド２０Ａ、２０Ｂに共通の孔５１に挿通された場合に、この孔５１の矢印Ｚ方向（記録ヘッド２０の前後方向）の位置を位置決めする柱形状に形成される。具体的には、位置決めピン６２は、記録ヘッド２０の孔５２の短手側の孔径、つまり、記録ヘッドの前後方向（矢印Ｚ方向）の孔径と略同径の柱形状に形成される。この場合、記録ヘッド２０の左右方向（矢印Ｙ方向）においては、位置決めピン６２が記録ヘッド２０Ａ、２０Ｂの孔５１より小さい径となるため、図８及び図９に示すように、位置決めピン６１と孔５１の内面との間に隙間Ｓが形成されるようになっている。これにより、上記孔５１の位置が、記録ヘッド２０Ａと２０Ｂとで共通であるために、各記録ヘッド２０Ａと２０Ｂとの搭載時の傾きが異なっても、この隙間Ｓの範囲で孔５１の位置がずれるだけであり、この孔５１に各記録ヘッド２０Ａ、２０Ｂの位置決めピン６１を確実に挿入できるようになっている。これにより、この位置決めピン６１により、記録ヘッド２０Ａ、２０Ｂの孔５１の矢印Ｚ方向の位置を固定することができる。
【００４１】
以上の構成により、記録ヘッド２０Ａをキャリッジ３０に取り付ける場合は、記録ヘッド２０Ａの２０Ａの孔５１Ａ及び５２を、キャリッジ３０の位置決めピン６１及び６１にそれぞれ挿通して、記録ヘッド２０Ａをキャリッジ３０の載置面６０と直交する軸線に対して傾き角度０度で搭載した場合に、記録ヘッド２０Ａの位置（矢印Ｘ、Ｙ、Ｚ方向の位置）を位置決めすることができる。
【００４２】
また、記録ヘッド２０Ｂをキャリッジ３０に取り付ける場合も、同様に、記録ヘッド２０Ｂの２０Ａの孔５１Ａ及び５２を、キャリッジ３０の位置決めピン６１及び６１にそれぞれ挿通して、記録ヘッド２０Ｂをキャリッジの載置面６０と直交する軸線に対して傾き角度αで搭載した場合に、記録ヘッド２０Ｂの位置（矢印Ｘ、Ｙ、Ｚ方向の位置）を位置決めすることができる。
【００４３】
このように記録ヘッド２０Ａ又は２０Ｂがキャリッジ３０に位置決めされると、図５及び図６に示すように、記録ヘッド２０Ａ又は２０Ｂの両サイドに設けられた孔８０と、キャリッジ３０の載置面６０に設けられたねじ孔８１とが連通する。従って、ねじによって記録ヘッド２０Ａをキャリッジ３０に固定することにより、記録ヘッド２０Ａ又は２０Ｂをキャリッジ３０の予め定めた位置に取り付けることができる。
【００４４】
以上説明したように、本実施形態のプリンタ１０によれば、キャリッジ３０の位置決めピン６１及び６２のうち、一方の位置決めピン６１に、記録ヘッド２０Ａの孔５１Ａに嵌合して記録ヘッド２０Ａの位置決めを行う嵌合部（根本側部分６１Ａ）と、記録ヘッド２０Ａと異なる傾きで搭載される記録ヘッド２０Ｂの孔５１Ｂに嵌合して記録ヘッド２０Ｂの位置を位置決めする嵌合部（先端側部分６１Ｂ）とを設けることにより、同一のキャリッジ３０に、記録ヘッド２０Ａ及び２０Ｂを位置決めすることができる。
【００４５】
なお、上記実施の形態では、キャリッジ３０の位置決めピン６１、６２を略円柱形状に形成する場合について述べたが、記録ヘッド２０Ａ及び２０Ｂの孔５１、５２に挿通して、記録ヘッド２０Ａ及び２０Ｂを位置決め可能な範囲で、位置決めピン６１及び６２は、多角形形状など様々な形状を適用することができる。
【００４６】
また、上記実施の形態では、記録ヘッド２０に位置決め用の孔（５１、５２に対応）を２つ設ける場合について述べたが、位置決め用の孔を１つ又は３つ以上にし、キャリッジ３０に、この位置決め用の孔と同数の位置決めピン（挿通体）を設けるようにしてもよい。この場合、少なくとも１つの位置決めピンに、記録ヘッド２０Ａの孔と嵌合して記録ヘッド２０Ａの位置決めを行う嵌合部（根本側部分６１Ａに対応）と、記録ヘッド２０Ａの孔と嵌合して記録ヘッド２０Ａの位置決めを行う嵌合部（先端側部分６１Ｂに対応）とを設けるようにすればよい。
【００４７】
また、上記実施の形態では、キャリッジ３０に記録ヘッド２０が載置面６０と直交する軸線に対して２つの異なる傾きで搭載する場合について述べたが、３種類以上の異なる傾きで記録ヘッド２０を搭載する場合にも適用できることは勿論である。この場合、位置決めピン６１に、搭載時の傾きが異なる各記録ヘッド毎に、記録ヘッドの位置決めを行う複数の嵌合部（根本側部分６１Ａ、先端側部分６１Ｂに対応）を異なる位置に設けるようにすればよい。
【００４８】
【発明の効果】
上述したように本発明によれば、１つのキャリッジに、傾きの異なる記録ヘッドを位置決めすることができる。
【図面の簡単な説明】
【図１】本発明の記録装置の実施形態に係るプリンタの側断面図である。
【図２】同プリンタの外装カバーを外した状態を示す斜視図である。
【図３】（Ａ）は、同プリンタの記録ヘッドの記録ワイヤの配列方向を、印字しようとする文字の縦方向にした場合を示し、（Ｂ）は、同プリンタの記録ヘッドの記録ワイヤの配列方向を、印字しようとする文字に対して傾けた場合を示す図である。
【図４】同プリンタのキャリッジに記録ヘッドを搭載したときの正面図である。
【図５】図４の斜視図である。
【図６】同プリンタのキャリッジと記録ヘッドとを分離した状態を示す斜視図である。
【図７】同プリンタのキャリッジの斜視図である。
【図８】同プリンタのキャリッジに記録ヘッドが搭載された場合の断面図である。
【図９】同プリンタのキャリッジに図８の場合と異なる傾きで記録ヘッドが搭載された場合の断面図である。
【図１０】（Ａ）は、図９の位置決めピンの周辺を示す拡大図であり、（Ｂ）は、位置決めピンの上面図である。
【符号の説明】
１０  プリンタ
１２  プリンタ本体
１３  トラクタユニット
１４  シートガイド
２０、２０Ａ、２０Ｂ  記録ヘッド
２０Ｗ  記録ワイヤ
３０  キャリッジ
５０  ノーズ部
５１、５１Ａ、５１Ｂ、５２、８０  孔
６１、６２  位置決めピン
６１Ａ  根本側部分
６１Ｂ  先端側部分
【図１】
2004306298.tif 000003
【図２】
2004306298.tif 000004
【図３】
2004306298.tif 000005
【図４】
2004306298.tif 000006
【図５】
2004306298.tif 000007
【図６】
2004306298.tif 000008
【図７】
2004306298.tif 000009
【図８】
2004306298.tif 000010
【図９】
2004306298.tif 000011
【図１０】
2004306298.tif 000012